(57)【要約】      （修正有）【課題】液体が分注された後の液漏れを確実に防ぐ、基板処理装置用ノズル先端アダプタ、ノズルアセンブリ、ノズルを提供する。【解決手段】ノズル先端アダプタ（１２）は、吸引ダクト（３４）と、供給ダクト（３６）と、装置端部（１８）と基板端部（２０）とを有するベース本体（１６）と、を有する。ベース本体（１６）は、基板端部（２０）に、ノズル先端（１４）を受け入れるためのノズル先端くぼみと、ノズル先端くぼみ内へ広がる突出部（３０）とを有し、吸引ダクト（３４）は、突出部（３０）を介して広がり、供給ダクト（３６）は、ノズル先端くぼみ内へ開口し、吸引ダクト（３４）は、少なくとも一部が供給ダクト（３６）によって囲まれている。さらに、ノズルアセンブリ（１０）とノズルとが示されている。【選択図】図１
2019030868.tif 000002
【特許請求の範囲】
【請求項１】
ノズル先端（１４）を基板処理装置に実装するためのノズル先端アダプタであって、
吸引ダクト（３４）と、供給ダクト（３６）と、装置端部（１８）及び基板端部（２０）を有するベース本体（１６）と、を備え、
前記吸引ダクト（３４）と前記供給ダクト（３６）は、前記ベース本体（１６）内に設けられ、
前記ベース本体（１６）は、前記ベース本体（１６）の基板端部（２０）に、前記ノズル先端（１４）を受け入れるためのノズル先端くぼみ（２６）と、前記ノズル先端くぼみ（２６）内へ広がる突出部（３０）と、を有し、
前記吸引ダクト（３４）は、前記突出部（３０）を介して広がり、前記供給ダクト（３６）は、前記ノズル先端くぼみ（２６）内へ開口し、
前記吸引ダクト（３４）は、少なくとも一部が前記供給ダクト（３６）によって囲まれている、ノズル先端アダプタ。
【請求項２】
前記吸引ダクト（３４）は前記突出部（３０）の軸長に沿って伸びており、かつ、前記突出部（３０）の下流端部で開口している、請求項１に記載のノズル先端アダプタ。
【請求項３】
前記突出部（３０）は、前記ノズル先端くぼみ（２６）を介して前記ベース本体の軸方向へ伸びており、かつ、前記ベース本体の下流端部を伴う前記ノズル先端くぼみ（２６）から突出する、請求項１又は２に記載のノズル先端アダプタ。
【請求項４】
前記ベース本体（１６）は、前記ノズル先端アダプタ（１２）を前記基板処理装置に固定するための装置突出部（２４）を前記装置端部（１８）に有する、請求項１〜３のいずれか１つに記載のノズル先端アダプタ。
【請求項５】
前記ノズル先端くぼみ（２６）と前記装置突出部（２４）とは、同一サイズ、かつ／又は、相補的形状を有する、請求項４に記載のノズル先端アダプタ。
【請求項６】
前記ノズル先端アダプタ（１２）は、望ましくは前記ベース本体（１６）の周囲表面（２２）又は前記装置端部（１８）に吸引ポート（３２）を備えており、
前記吸引ダクト（３４）は、望ましくは前記周囲表面（２２）又は前記装置端部（１８）で前記吸引ポート（３２）並びに供給ポート（２９）から始まり、
前記供給ダクト（３６）は、前記供給ポート（２９）から始まる、請求項１〜５のいずれか１つに記載のノズル先端アダプタ。
【請求項７】
請求項１〜６のいずれか１つに記載のノズル先端アダプタ（１２）とノズル先端（１４）とを備える基板処理装置用のノズルアセンブリであって、
前記ノズル先端（１４）は、
接続端部（４６）と排出端部（４８）とを有するノズル本体（４４）と、
前記接続端部（４６）に設けられる固定突出部（５０）と、
前記接続端部（４６）に向けて開口し、かつ、少なくとも前記固定突出部（５０）内へ広がる液体チャンバ（５２）と、
前記排出端部（４８）にオリフィスを有し、かつ、望ましくは前記液体チャンバ（５２）の下流端部で前記液体チャンバ（５２）と流動的に接続される排出口（５４）と、を有し、
前記ノズル先端（１４）の前記固定突出部（５０）は、前記ノズル先端アダプタ（１２）の前記ノズル先端くぼみ（２６）内に受け入れられ、前記ノズル先端アダプタ（１２）の前記突出部（３０）は前記ノズル先端（１４）の前記液体チャンバ（５２）内へ広がる、ノズルアセンブリ。
【請求項８】
前記ノズル先端アダプタ（１２）の前記供給ダクト（３６）は、前記液体チャンバ（５２）の上流端部で前記液体チャンバ（５２）内へ開口し、かつ／又は、前記ノズル先端アダプタ（１２）の吸引ダクト（３４）は、前記突出部（３０）の下流端部で前記液体チャンバ（５２）内へ開口する、請求項７に記載のノズルアセンブリ。
【請求項９】
前記排出口（５４）は、直径（ｄ）を有し、
前記突出部（３０）の前記下流端部と前記オリフィス（５６）との間の距離（ａ）は、前記排出口（５４）の前記直径（ｄ）の少なくとも０．５倍である、請求項７又は８に記載のノズルアセンブリ。
【請求項１０】
前記排出口（５４）と、前記突出部（３０）における前記吸引ダクト（３４）とは、同軸である、請求項７〜９のいずれか１つに記載のノズルアセンブリ。
【請求項１１】
チャンネル（５８）は、前記ノズル先端アダプタ（１２）の前記突出部（３０）の周囲と、前記液体チャンバ（５２）の内壁との間で形成され、
前記ノズル先端アダプタ（１２）の前記供給ダクト（３６）は、前記チャンネル（５８）内へ開口する、請求項７〜１０のいずれか１つに記載のノズルアセンブリ。
【請求項１２】
前記チャンネル（５８）と前記吸引ダクト（３４）は、前記液体チャンバ（５２）の前記下流端部で合流する、請求項７〜１１のいずれか１つに記載のノズルアセンブリ。
【請求項１３】
装置端部（１８）と排出端部（４８）とを有する主本体（６２）を備える、液体を基板に供給するノズルであり、
前記主本体（６２）は、
吸引ダクト（３４）と、
供給ダクト（３６）と、
前記供給ダクト（３６）の一部を形成する液体チャンバ（５２）と、
排出口（５４）と
前記液体チャンバ（５２）内へ広がる突出部（３０）と、を備え、
前記排出口（５４）は、
前記液体チャンバ（５２）の直径（Ｄ）より小さい直径を有し、
前記排出端部（４８）でオリフィスを有し、
望ましくは前記液体チャンバ（５２）の下流端部で前記液体チャンバ（５２）と流動的に接続されており、
前記液体チャンバ（５２）で、前記吸引ダクト（３４）は前記突出部（３０）を介して広がり、前記液体チャンバ（５２）の前記下流端部で前記液体チャンバ（５２）内へ開口し、前記排出口（５４）の上流で前記供給ダクト（３６）と合流し、
前記吸引ダクト（３４）は、前記供給ダクト（３６）によって少なくとも一部が囲まれている、ノズル。
【請求項１４】
前記吸引ダクト（３４）は、前記突出部（３０）の軸長に沿って伸び、前記突出部（３０）の下流端部で開口する、請求項１３に記載のノズル。
【請求項１５】
前記主本体（６２）は、前記ノズル（６０）を基板処理装置に固定するために、前記装置端部（１８）に装置突出部（２４）を備える、請求項１３又は１４に記載のノズル。
【請求項１６】
前記のノズル（６０）は、望ましくは前記主本体（６２）の周囲表面（２２）又は前記装置端部（１８）に吸引ポート（３２）を有し、前記吸引ダクト（３４）は、供給ポート（２９）と同様、望ましくは前記周囲表面（２２）又は前記装置端部（１８）にある前記吸引ポート（３２）から始まり、前記供給ダクト（３６）は、前記供給ポート（２９）から生始まる、請求項１３〜１５のいずれか１つに記載のノズル。
【請求項１７】
前記突出部（３０）の前記下流端部と、前記オリフィス（５６）との間の距離（ａ）は、少なくとも前記排出口（５４）の前記距離（ｄ）の０．５倍である、請求項１３〜１６のいずれか１つに記載のノズル。
【請求項１８】
前記排出口（５４）と前記突出部（３０）にある前記吸引ダクト（３４）は、同軸である、請求項１３〜１７のいずれか１つに記載のノズル。
【請求項１９】
チャンネル（５８）は、前記突出部（３０）の周囲と前記液体チャンバ（５２）の内壁との間に形成される、請求項１３〜１８のいずれか１つに記載のノズル。
【発明の詳細な説明】
【技術分野】
【０００１】
本発明は、ノズル先端を基板処理装置に実装するためのノズル先端アダプタ、基板処理システム用のノズルアセンブリ、並びに、基板に液体を供給するためのノズルに関する。
【背景技術】
【０００２】
周知のナノ加工やマイクロ加工用の基板処理装置では、液体を基板上に分注ことが必要である。基板はウェハ等である。流体は、現像液、水、溶媒若しくはいずれかの水溶液であり、ノズルを介して基板に供給される。通常、液体は、予め決められた液体量が分注されるように、決められた分注期間に分注される。しかしながら、分注期間の終了時、液体の残りがノズル内に留まり、非制御な方法で基板に液漏れし得る。
【０００３】
最先端の処理基板装置では、液体の流れを逆向きにし、過剰な液体をノズルから引き戻すことで、分注期間後にノズルが液漏れすることを防ぐことが知られている。
【０００４】
しかしながら、液体内の気泡等によって、この方法で液漏れを完全に防ぐことはできない。
【発明の概要】
【発明が解決しようとする課題】
【０００５】
従って、本発明の目的は、液体が分注された後の液漏れを確実に防ぐ、基板処理装置用のノズル先端アダプタと、ノズルアセンブリと、ノズルとを提供することである。
【課題を解決するための手段】
【０００６】
このために、ノズル先端を基板処置装置に実装するためのノズル先端アダプタが提供され、ノズル先端アダプタは、吸引ダクトと、供給ダクトと、装置端部と基板端部とを有するベース本体とを備えており、そこでは、吸引ダクトと供給ダクトはベース本体内に設けられる。ベース本体は、ノズル先端を受け入れるノズル先端凹部を基板端部に有し、ノズル先端凹部内へ伸びる突出部を有し、そこでは、吸引ダクトが突出部を経て伸び、供給ダクトがノズル先端凹部内へ開口し、吸引ダクトの少なくとも一部が供給ダクトによって囲まれている。
【０００７】
基板は、ウェハのような非被覆基板であってもいいし、被覆基板であってもよい。例えば、液体は、現像液、溶媒、水若しくは水溶液である。さらに、基板処理装置は、ナノ加工及び／又はマイクロ加工用の装置であってもよい。
【０００８】
本発明の内容において、「下流」とは、液体の通常の流れの方向、つまり、装置端部から基板端部又は基板そのものに向かう方を意味する、ノズル先端アダプタの軸方向もまた下流方向に伸びる。
【０００９】
基板端部と装置端部は互いに反対であり得る。
【００１０】
例えば、突出部は針形状である、又は、中空の針を形成する。さらに、ノズル先端凹部は、ノズル先端を受け入れるためにねじ山を付けられ得る。
【００１１】
さらに、吸引ダクトと突出部の直径は、０．７ｍｍから４．０ｍｍであり得る。
【００１２】
２つの異なるダクトを提供することにより、ノズル先端アダプタのダクトの一方は、ノズルに液体を供給するために使用され、もう一方のダクトが液体分注期間後、過剰な液体をノズル先端のオリフィスからそらすために使用され得る。突出部により、２つのダクトは、ノズルのオリフィスに相当近接して合流することができるので、オリフィスと、ダクトが合流し得る位置との間の全ての液体がノズルからそらされ得る。従って、液漏れ防止が相当確実に達成される。
【００１３】
ベース本体と突出部は、互いに動くことできないように固定される。特に、ベース本体と突出部は、単一部品として形成される。これにより、ノズル先端アダプタの扱いが容易になる。
【００１４】
例えば、吸引ダクトは突出部の軸長さにわたって伸び、突出部の下流端部に開口する。このようにして、吸引ダクトと供給ダクトは可能な限り下流で合流させられる。
【００１５】
突出部が可能な限りノズル先端内奥へ到達するために、突出部は、ノズル先端凹部を介してベース本体の軸方向へ伸び、下流端部でノズル先端凹部から突出し得る。この場合、突出部の下流端部は、ノズル先端アダプタの最も下流部分である。
【００１６】
本発明の一実施形態において、ベース本体は、ノズル先端アダプタを基板処理装置に固定するための装置突出部を装置端部に備える。装置突出部は、ねじ山を付けられ得る。これにより、ノズル先端アダプタをノズル先端と基板処理装置との間に容易に実装できる。
【００１７】
特に、ノズル先端凹部と装置突出部とは、同一サイズである、かつ／又は、相補的形状である。これにより、ノズル先端アダプタは、ノズル先端又は装置を交換することなく、ノズル先端と装置の間に実装され得る。
【００１８】
別の実施形態において、ノズル先端アダプタは、望ましくはベース本体の周囲表面又は装置端部に吸引ポートを有し、吸引ダクトは吸引ポートから始まっている。ノズルはさらに、望ましくは周囲表面又は装置端部に供給ポートを有し、供給ダクトは供給ポートから始まっている。周囲表面は、ベース本体の２つの端部の間の表面であり、供給ダクトは、装置突出部にわたって伸び得る。さらに、吸引ポートは、ねじ山を付けられる、又は、接続部であり得る。吸引ポートを設けることにより、ノズルからしたたる過剰な液体を容易にノズル排出口からそらすことができる。例えば、供給ポートは、装置端部に配置され、吸引ポートは逆に、周囲表面に配置され得る。さらに、吸引ポートと供給ポートはともに、ベース本体の同一表面、例えば、装置端部の周囲表面又は端面に配置される。
【００１９】
本発明はさらに、本発明に係るノズル先端アダプタとノズル先端とを備える、基板処理装置に関するノズル先端アセンブリを提供する。ノズル先端は、接続端部と排出端部とを有するノズル本体、接続端部に設けられる固定突出部、接続端部の方に開口し、少なくとも固定突出部へ伸びる液体チャンバ、排出端部でオリフィスを有し、かつ、望ましくは液体チャンバの下流端部で液体チャンバに流動的に接続される排出口、を備える。ノズル先端の固定突出部は、ノズル先端アダプタでノズル先端くぼみ内に受け入れられ、ノズル先端アダプタの突出部はノズル先端の液体チャンバ内へ伸びる。ノズル先端は、パドル又はスプレーのノズル、特にファンスプレーノズルであり得る。ノズルアセンブリは、液体を供給するダクトと、液体チャンバから液体をそらし、排出口から離れて液体をそらす別のダクトを提供する。こうして、分注期間が終了した後、液体が排出口又は液体チャンバから基板上に液漏れすることを防ぐ。
【００２０】
例えば、ノズル先端アダプタの供給ダクトは、液体チャンバへ開口し、液体チャンバの上流端部及び／又はノズル先端アダプタの吸引ダクトは、突出部の下流端部で液体チャンバへ開口する。従って、吸引ダクトと供給ダクトは、液体チャンバの下流端部に近い突出部の下流端部で合流し、分注期間後、制御された方法でノズルから液体を確実にそらす。
【００２１】
ある実施形態において、排出口は、突出部の下流端部とオリフィスとの間の距離である、排出口の直径の少なくとも０．５倍である直径を有する。例えば、その距離は、排出口の直径の最大５倍、望ましくは１〜３倍の直径である。このように、突出部の下流端部とオリフィスとの間の距離は、排出口内の全液体が別のダクトにそらされることを保証するのに十分小さい。
【００２２】
改善された実施に関しては、突出部の排出口と吸引ダクトは同軸である。
【００２３】
変形において、チャンネルはノズル先端アダプタの突出部の外周と液体チャンバの内壁との間で形成され、ノズル先端アダプタの供給ダクトはチャンネル内へ開口する。チャンネルの幅は０．２５ｍｍ〜１．０ｍｍの間であり、供給ダクトは必要最低限の材料で形成される。
【００２４】
さらなる改善された実施に関して、チャンネルと吸引ダクトは、液体チャンバの下流端部で合流する。
【００２５】
本発明はさらに、液体を基板に供給するノズルを提供し、装置端部と排出端部とを有する本体を備えており、本体は、吸引ダクト、供給ダクト、供給ダクトの部分を形成する液体チャンバ、液体チャンバの直径より小さい直径を有し、排出端部にオリフィスを有し、望ましくは液体チャンバの下流端部で液体チャンバと流動的に接続される排出口、液体チャンバ内へ広がる突出部を備える。吸引ダクトは、突出部を介して広がり、液体チャンバの下流端部で液体チャンバ内へ開口し、排出口の上流で供給ダクトと合流する。吸引ダクトは、少なくとも一部が供給ダクトに囲まれる。
【００２６】
供給ダクトは、突出部の軸長にわたって伸び、突出部の下流端部で開口していてもよい。このようにして、吸引ダクトと供給ダクトは可能な限り下流で合流する。
【００２７】
本体と突出部とは、互いに動くことができないように固定される。特に、本体と突出部は単一部材として形成される。これによりノズルの扱いが簡略化される。
【００２８】
例えば、主本体は、ノズルを基板処理装置に固定するために装置端部に装置突出部を備える。装置突出部はねじ山付けされていてもよい。この方法によって、ノズル先端アダプタは、ノズル先端と基板処理装置との間に簡単に実装され得る。装置突出部はねじ山付けされていてもよい。
【００２９】
本発明の実施形態において、ノズルは、吸引ポートを、望ましくは本体の周囲表面又は装置端部に備えており、吸引ダクトは吸引ポートから始まっている。ノズルも同様に、供給ポートを、望ましくは周囲表面又は装置端部に有しており、供給ダクトは供給ポートから始まっている。周囲表面は本体の２つの端部の間に伸びる。供給ダクトは、装置突出部を介して広がり得る。さらに、吸引ポートは、ねじ山付け、又は、接続され得る。吸引ポートを提供することにより、ノズルから液漏れし得る、ノズル排出口の過剰液体を容易にそらすことができる。例えば、供給ポートは、装置端部に配置され、吸引ポートは、逆に周囲表面に配置される。さらに、吸引ポートと供給ポートは、本体の同一表面例えば、装置端部の周囲表面又は端面に配置されることもできる。
【００３０】
変形において、突出部の下流端部とオリフィスとの間の距離は排出口の直径の少なくとも０．５倍である。例えば、その距離は、排出口の直径の最大５倍であり、望ましくはその直径の１〜３倍である。このように、突出部の下流端部とオリフィスとの間の距離は、排出口の全液体を別のダクトに分注することを保証するのに十分小さい。
【００３１】
改善された実施に関して、突出部内の排出口と吸引ダクトは、同軸である。
【００３２】
別の実施形態において、チャンネルは、突出部の周囲と液体チャンバの内壁との間で形成される。チャンネルの幅は０．２５ｍｍ〜１．０ｍｍであり得る。従って、チャンネルを提供するために必要なスペースは最小限にされ得る。
【図面の簡単な説明】
【００３３】
本発明のさらなる特徴と利点は、参考が示される以下の実施形態の詳細な説明と添付図から明らかになる。
【図１】図１は、本発明の第１実施形態に係るノズル先端アダプタを有する、本発明の第１実施形態に係るノズル先端アセンブリの断面図を示す。
【図２】図２は、図１のノズル先端アダプタの断面図を示す。
【図３】図３は、図１のノズル先端アダプタのＩＩＩ−ＩＩＩ線にわたる、別の断面図を示す。
【図４】図４は、本発明の別の実施形態に係るノズルの断面図を示す。
【図５】図５は、本発明の第２実施形態に係るノズル先端アダプタを有する、本発明に係る第２実施形態に係るノズル先端アセンブリの断面図を示す。
【図６】図６は、図５のノズル先端アダプタの断面図を示す。
【図７】図７は、図５のノズル先端アダプタのＶＩＩ−ＶＩＩ線にわたる、別の断面図を示す。
【図８】図８は、本発明の別の実施形態に係るノズルの断面図を示す。
【発明を実施するための形態】
【実施例１】
【００３４】
図１は、ノズル先端アダプタ１２とノズル先端１４とを備えるノズルアセンブリ１０を示す。
【００３５】
ノズルアセンブリ１０は、液体をウェハのような基板に分注するための基板処理装置内に実装され得る。基板処理装置は、ナノ加工及び／又はマイクロ加工用の装置であってもよい。
【００３６】
ノズル先端１４は、標準的なノズル先端であり、第１実施形態に示されるファンスプレーノズルのようなスプレーノズルである。
【００３７】
ノズル先端アダプタ１２もまた図２に示されており、例えば、プラスチック材料から作られるベース本体１６を備える。ベース本体１６はインジェクション成形又は３Ｄプリンタによって製造されてもよい。
【００３８】
ベース本体１６は、装置端部１８と反対側の基板端部２０、並びに、装置端部１８と基板端部２０との間に広がる周囲表面２２を有する。液体は、装置端部１８から基板端部２０へ流れる。以下、「下流」方向は、装置端部１８から基板端部２０への方向及びノズル先端を介するさらなる方向を示すために使用される。従って、「上流」は、その反対の方向を示す。下流方向は、ノズル先端アダプタ１２とノズル先端１４との軸方向と一致する。
【００３９】
装置端部１８で、ベース本体１６は、その径方向外側表面にねじ山付けされた装置突出部２４を備えられる。
【００４０】
基板端部２０で、ノズル先端くぼみ２６が、ねじ山付けされた壁を有するベース本体１６内に形成される。
【００４１】
装置突出部２４の大きさとノズル先端くぼみ２６の大きさは同じであり、これは、装置突出部２４がノズル先端くぼみ２６にねじって取り付けられることを意味する。その大きさは、標準基板処理装置又は標準ノズル先端１４に合うように選定され得る。それゆえ、ノズル先端アダプタ１２を基板処理装置とノズル先端との間で周知の装置に簡単に差し込むことができる。
【００４２】
穴２８は、装置突出部２４を介して装置端部１８からノズル先端くぼみ２６へ、ベース本体１６の長軸又は軸方向に広がる。
【００４３】
穴２８の上流端部、つまり、装置端部１８での穴２８の端部は、供給ポート２９を形成する。供給ポート２９は、ねじ山付けされる、又は、接続部のソケットであり得る。しかしながら、供給ポート２９は、接続部のプラグ接続部の外側にねじ山付けする、又は、接続部のプラグ接続部を形成する、中空の突出部であってもよい。いずれの場合においても、供給ポート２９は、基板処理装置と接続されるように構成される。
【００４４】
装置突出部２４を介して広がる穴２８の隣接部は、供給ダクト３６を形成する。
【００４５】
さらに、ベース本体１６は、一部が穴２８内に伸び、ノズル先端くぼみ２６内へベース本体１６の軸方向に続く突出部３０を備える。突出部３０は、図３に示されるように、穴２８の中央軸に沿って伸び、穴２８の側壁で支持される。
【００４６】
主本体１６と突出部３０は、単一部材として形成され、それゆえ、互いに動くことができないように固定される。
【００４７】
突出部３０は、ノズル先端くぼみ２６を介して突出する針形状又は中空の針を有する。
【００４８】
突出部３０はさらに、完全にノズル先端くぼみ２６を介して軸方向に伸び、下流端部を有するノズル先端くぼみ２６から突出する。従って、突出部３０の下流端部はノズル先端アダプタ１２の最も下流部である。
【００４９】
ベース本体１６の周囲表面２２、特に装置突出部２４の下流に、吸引ポート３２が設けられる。
【００５０】
図示された実施形態において、吸引ポート３２は、径方向内側に広がるくぼみとして形成される。くぼみはねじ山付けされる、又は、接続部のソケットであり得る。しかしながら、吸引ポート３２は外側に接続部のプラグ接続部をねじ山付けする、又は、形成する中空の突出部であってもよい。いずれの場合でも、吸引ポート３２は、配管等で真空ポンプ又は別の低圧源に接続されるように構成される。
【００５１】
吸引ダクト３４は、吸引ポート３２から始まっている。吸引ダクト３４は、完全に突出部３０を介して下流方向に伸び、突出部３０の下流端部で開口する。
【００５２】
吸引ダクト３４と突出部３０の直径は、０．７ｍｍ〜４．０ｍｍであり得る。
【００５３】
供給ダクト３６は突出部３０の領域において穴２８の一部として形成される。
【００５４】
供給ダクト３６は、ノズル先端くぼみ２６の上流端部でノズル先端くぼみ２６に開口し、突出部３０とそれゆえ吸引ダクト３４を囲む。
【００５５】
従って、吸引ダクト３４と供給ダクト３６とは互いに同軸である。
【００５６】
図１〜４に示す第１実施形態において、供給ポート２９はベース本体１６の装置端部１８、例えば、装置端部１８の端面に配置され、吸引ポート３２はベース本体１６の周囲表面２２に配置される。
【００５７】
ここで、図１に示されるようなノズル先端１４に戻ると、ノズル先端１４は、ノズル先端アダプタ１２に面する接続端部４６を有するノズル本体４４と、ノズル先端１４とノズルアセンブリ１０との下流端部である排出端部４８とを有する。
【００５８】
ノズル本体４４もまた、プラスチック材料から形成され、例えば、インジェクション成型又は３Ｄ印刷を使って製造され得る。
【００５９】
ノズル本体４４は、接続端部４６で旋回し、ノズル先端アダプタ１２のノズル先端くぼみ２６に係合させられる固定突出部５０を備える。このために、固定突出部５０は、ねじ山を設けられ得る。
【００６０】
液体チャンバは、接続端部４６から固定突出部５０へ下流に広がる。以下で排出口５４と呼ばれる別のダクトは、液体チャンバ５２の下流端部から排出端部４８へ広がり、オリフィス５６を形成しながら排出端部４８で開口する。
【００６１】
ノズル先端アダプタ１２の吸引ダクト３４と供給ダクト３６とが同軸であるのと同様に、液体チャンバ５２とオリフィス５６とは同軸である。排出口５４の直径は、液体チャンバ５２の直径Ｄより小さいが、吸引ダクト３４及び／又は突出部３０の直径より大きくてもよい。
【００６２】
ノズル先端１４は、固定突出部５０とノズル先端くぼみ２６とを介してノズル先端アダプタ１２と係合する。
【００６３】
図１に示される係合位置において、ノズル先端アダプタ１２の突出部３０は、ノズル先端１４の液体チャンバ５２内へ広がる。
【００６４】
その長さのため、突出部３０は、液体チャンバ５２の大部分を介して下流方向へ伸び、オリフィス５６とノズル先端１４の排出端部４８とからの距離ａで終端する。
【００６５】
それゆえ、距離ａは、突出部３０と下流端部と、オリフィス５６、つまり、ノズル先端の下流端部との間の距離であり、排出口５４の直径の少なくとも０．５倍である。該距離ａは、排出口の直径の最大５倍であり、望ましくは、排出口５４の直径の１〜３倍である。
【００６６】
突出部３０により、チャンネル５８は突出部３０の外壁と液体チャンバ５２の内壁との間に形成される。
【００６７】
それゆえ、チャンネル５８は、突出部３０周辺の環状のチャンネルであり、突出部３０の外壁から液体チャンバ５２の内壁までの幅ｗを有する。例えば、幅ｗは、０．２５ｍｍ〜１．０ｍｍである。
【００６８】
ノズル先端アダプタ１２の供給ダクト３６は液体チャンバ５２の上流端部で液体チャンバ５２内へ開口し、より正確には、供給ダクト３６はチャンネル５８内へ開口する。それゆえ、チャンネル５８は供給ダクト３６の延長部分のように見え得る。
【００６９】
従って、吸引ダクト３４と供給ダクト３６とは共に、液体チャンバ５２内へ開口する。突出部の長さのため、吸引ダクト３４と供給ダクト３６とは、液体チャンバ５２の下流端部と突出部３０の下流端部で合流する。
【００７０】
作動中、ノズル先端アダプタ１２は、ノズル先端アダプタ１２の装置突出部２４を介して基板処理装置（図示されていない）内へ実装される。そうすることで、ノズル先端アダプタ１２の供給ポート２９は、基板に分注される液体を運ぶ基板処理装置のチャンネルに接続される。
【００７１】
基板は、ウェハのような非被覆基板又は既に被覆された基板であってもよい。液体は、現像液、溶媒、水若しくはその他の水溶液であってもよい。例えば、基板は露出した感光性樹脂で被覆されたウェハであり、液体は露出樹脂ようの現像液である。
【００７２】
吸引ダクト３４が真空にされ得るように、吸引ポート３２は適切な配管によって真空ポンプのような低圧力源（図示されていない）に接続される。
【００７３】
そして、液体は、決められた分注期間の長さの間付加される。液体は、基板処理装置から供給ポート２９へ供給され、供給ダクト３６を介して液体チャンバ５２のチャンネル５８へ流れ、液体がオリフィス５６を介して基板（図示されていない）に向けて分注される排出口５４を通って流れる。分注期間の間、低圧力源は非作動である。
【００７４】
液体の供給が止まるとすぐ、つまり、分注期間の終了時又はその後直ぐ、低圧力源は作動させられる。従って、低圧力又は真空が吸引ポート３２に適用される。
【００７５】
真空を適用することで、排出口５４と液体チャンバ５２における液体残量は、吸引ダクト３４内へ吸い込まれ、ノズル先端アダプタ１２を介してノズル先端１４から排出される。従って、潜在的に非制御形態で基板に液漏れし得る液体は、排出口５４内に残らない。
【００７６】
低圧力源は、ノズル先端アダプタ１２を介して排出口５４に向けて不必要に流れ得る液体をそらすために、液体が基板に分注しない期間の間、永久的に作動し得る。
【００７７】
従って、突出部３０の下流端、つまり吸引ダクト３４と供給ダクト３６が合流する点の間の距離が短いため、液漏れを確実に防ぐことができる。
【実施例２】
【００７８】
図４〜図８は、図１に示されるノズル先端アダプタ１２と実質的に同一である、本発明の異なる実施形態を示す。従って、同一部分又は、同一機能を有する部分は、同一数字を使用して参照され、異なる部分のみが以下に記載される。
【００７９】
図４は、実質的にノズル先端アダプタ１２の１ピース型であるノズル６０を示す。
【００８０】
ノズル６０は、ノズル先端アダプタ１２のベース本体１６として理解される主本体６２と、１ピースから作られたノズル先端１４のノズル本体４４とを有する。
【００８１】
従って、主本体６２は、明らかにノズル先端くぼみ２６、固定突出部５０、基板端部２０及び接続端部４６以外の、上述されたベース本体１６とノズル本体４４との全ての特徴を備える。当然、主本体６２のみが、装置端部１８と排出端部４８とを備える。
【００８２】
それゆえ、主本体６２と突出部３０は、互いに非可動なように固定される。特に、主本体６２と突出部３０とは、単一部材として形成される。
【００８３】
さらに、液体チャンバ５２は穴２８の延長部である。
【００８４】
主本体６２もまた、プラスチック材料から作られ、例えば、射出成形又は３Ｄ印刷を使用して製造され得る。
【実施例３】
【００８５】
図５〜図７は、ノズルアセンブリ１０とノズル先端アダプタ１２との別の実施形態を示す。
【００８６】
図１〜図３に示される第１実施形態との差違において、吸引ポート３２と供給ポート２９との配置が交換されている。
【００８７】
この実施形態において、突出部３０は、穴２８の内壁から始まっていないが、穴２８の下流開口部のリムから伸びる。つまり、吸引ダクト３４は穴２８を伸張し、それゆえ、吸引ポート３２は、装置端部１８に配置される。
【００８８】
供給ポート２９はベース本体１６の周囲表面２２に配置される。供給ダクト３６は、供給ポート２９から径方向内側かつ突出部３０周りに広がるくぼみ６４として理解される。
【００８９】
吸引ダクト３４周りの環状のチャンネルは、既にノズル先端アダプタ１２内にある供給ダクト３６のくぼみ６４によって形成される。
【００９０】
供給ダクト３６のくぼみ６４は、下流方向へノズル先端くぼみ２６内へ開口する。
【００９１】
この実施形態において、ノズル先端１４はプドルノズルである。しかしながら、第１実施形態におけるように、ファンスプレーノズルのようなスプレーノズルもまた逆にこの実施形態で使用され得る。さらに、別の標準的なノズル先端１４もまた、ノズル先端アダプタ１２とノズルアセンブリ１０に適している。
【実施例４】
【００９２】
図８は、図５〜図７に示されたノズルアセンブリ１０の一部材版である本発明の別の実施形態を示す。
【００９３】
図１〜図３のノズルアセンブリに関して、図４のノズルのように、図８のノズル６０は、図４の実施形態に関して説明された例外を伴うベース本体１６とノズル本体４４とのほぼ全ての特徴を備える一部材の主本体６２を有する。
【００９４】
しかしながら、図８の実施形態のノズル６０において、吸引ダクト３４と供給ダクト３６の構成は図５，６及び７の実施形態の構成に従う。
【００９５】
さらに、両実施形態において、吸引ポート３２と供給ポート２９の両方は、ベース本体１６の装置端部１８に配置され得る。例えば、ポート２９，３２はともに、装置端部１８の端面で実現され得る。ポート２９，３２の一方、例えば、吸引ポート３２もまた、穴２８の内側側面に配置されてもよい。
【図１】
2019030868.tif 000003
【図２】
2019030868.tif 000004
【図３】
2019030868.tif 000005
【図４】
2019030868.tif 000006
【図５】
2019030868.tif 000007
【図６】
2019030868.tif 000008
【図７】
2019030868.tif 000009
【図８】
2019030868.tif 000010
【外国語明細書】
2019030868.tif 000011
2019030868.tif 000012
2019030868.tif 000013
2019030868.tif 000014
2019030868.tif 000015
2019030868.tif 000016
2019030868.tif 000017
2019030868.tif 000018
2019030868.tif 000019
2019030868.tif 000020
2019030868.tif 000021
2019030868.tif 000022
2019030868.tif 000023
2019030868.tif 000024
2019030868.tif 000025
2019030868.tif 000026
2019030868.tif 000027
2019030868.tif 000028
2019030868.tif 000029
2019030868.tif 000030
2019030868.tif 000031
2019030868.tif 000032